(57)【要約】【課題】軽量で、強いインパクトを与えることが可能な商品陳列棚および商品陳列棚用の蓋板を提供すること。【解決手段】商品陳列棚（１）は、上下方向に間隔をあけて配置された複数の棚板（２）を有し、各段に商品を収容する。商品陳列棚（１）は、最上段の商品収容部（５）の前方を覆う開閉可能な蓋板（６）を備える。蓋板は、ＬＥＤを光源とする電飾板である。【選択図】図１
0003214962.tif 000002
【実用新案登録請求の範囲】
【請求項１】
上下方向に間隔をあけて配置された複数の棚板を有し、各段に商品を収容する商品陳列棚であって、
最上段の商品収容部の前方を覆う開閉可能な蓋板を備え、
前記蓋板は、ＬＥＤを光源とする電飾板である、商品陳列棚。
【請求項２】
前記電飾板は、枠板と、前記枠板の背面側に設けられる背板と、前記枠板の前面側に設けられる前面布と、前記前面布の背面側に設けられ、前記前面布を背面側から照射するＬＥＤ光源部とを含む、請求項１に記載の商品陳列棚。
【請求項３】
前記ＬＥＤ光源部は、前記背板に取り付けられている、請求項２に記載の商品陳列棚。
【請求項４】
前記電飾板は、複数の貫通孔が設けられた中間板をさらに含み、
前記中間板は、前記背板と前記前面布との間に設けられている、請求項２または３に記載の商品陳列棚。
【請求項５】
前記中間板の背面側および前記背板の前面側は、光を反射する光反射面を有する、請求項４に記載の商品陳列棚。
【請求項６】
前記枠板は、前面側に溝部を有し、
前記前面布は、外縁に沿って設けられる帯状部を有し、
前記帯状部は、前記溝部に挿入される、請求項２〜５のいずれかに記載の商品陳列棚。
【請求項７】
前記電飾板は、前記商品収容部の上部に蝶番により取り付けられる、請求項１〜６のいずれかに記載の商品陳列棚。
【請求項８】
上下方向に間隔をあけて配置された複数の棚板を有し、各段に商品を収容する商品陳列棚に用いられる開閉可能な蓋板において、
当該蓋板は、最上段の商品収容部の前方を覆い、ＬＥＤを光源とする電飾板である、商品陳列棚用の蓋板。
【考案の詳細な説明】
【技術分野】
【０００１】
この考案は、スーパーマーケット、ドラッグストア等の店舗に設置される商品陳列棚および商品陳列棚用の蓋板に関する。
【背景技術】
【０００２】
スーパーマーケット、ドラッグストア等の店舗には、複数の棚板を有する商品陳列棚が設置されている。このような商品陳列棚は、最上段に予備の商品が保管され、その前面を覆う蓋板が設けられることが知られている。
【０００３】
たとえば、特開平７−３０８２４６号公報（特許文献１）には、最上段の前面にカバーが取り付けられたショーケースが開示されている。カバーは、棚に対して回動可能に設けられ、カバーの一面には、広告文字等が印刷されている。特開２０１４−７９４２２号公報（特許文献２）には、収納部の前面に商品等表示を設けたＬＣＤ（液晶ディスプレイ）を取り付けたタバコ陳列ケースが開示されている。
【先行技術文献】
【特許文献】
【０００４】
【特許文献１】特開平７−３０８２４６号公報
【特許文献２】特開２０１４−７９４２２号公報
【考案の概要】
【考案が解決しようとする課題】
【０００５】
特許文献１のショーケースは、カバーの一面に広告文字等が印刷されているだけであるため、単に目隠しの役割を果たしているだけで、需要者にインパクトを与えるものではない。また、特許文献２のタバコ陳列ケースは、液晶ディスプレイであるため、重量がある。
【０００６】
本考案は、上記のような課題を解決するためになされたものであって、その目的は、軽量で、強いインパクトを与えることが可能な商品陳列棚および商品陳列棚用の蓋板を提供することを目的とする。
【課題を解決するための手段】
【０００７】
本考案の一態様に係る商品陳列棚は、上下方向に間隔をあけて配置された複数の棚板を有し、各段に商品を収容する商品陳列棚であって、最上段の商品収容部の前方を覆う開閉可能な蓋板を備え、蓋板は、ＬＥＤを光源とする電飾板である。
【０００８】
好ましくは、電飾板は、枠板と、枠板の背面側に設けられる背板と、枠板の前面側に設けられる前面布と、前面布の背面側に設けられ、前面布を背面側から照射するＬＥＤ光源部とを含む。
【０００９】
好ましくは、ＬＥＤ光源部は、背板に取り付けられている。
【００１０】
好ましくは、電飾板は、複数の貫通孔が設けられた中間板をさらに含み、中間板は、背板と前面布との間に設けられている。
【００１１】
好ましくは、中間板の背面側および背板の前面側は、光を反射する光反射面を有する。
【００１２】
好ましくは、枠板は、前面側に溝部を有し、前面布は、外縁に沿って設けられる帯状部を有し、帯状部は、溝部に挿入される。
【００１３】
好ましくは、電飾板は、商品収容部の上部に蝶番により取り付けられる。
【００１４】
本考案の一態様に係る商品陳列棚用の蓋板は、上下方向に間隔をあけて配置された複数の棚板を有し、各段に商品を収容する商品陳列棚に用いられる。蓋板は、最上段の商品収容部の前方を覆い、ＬＥＤを光源とする電飾板である。
【考案の効果】
【００１５】
本考案によれば、軽量で、強いインパクトを与えることが可能な商品陳列棚および商品陳列棚用の蓋板を提供することができる。
【図面の簡単な説明】
【００１６】
【図１】本考案の実施の形態に係る商品陳列棚の斜視図である。
【図２】本考案の実施の形態に係る商品陳列棚の斜視図である。
【図３】本考案の実施の形態に係る商品陳列棚の蓋板を取り出して示す正面図である。
【図４】図３のＩＶ−ＩＶ線に沿う断面図である。
【図５】図４の部分拡大断面図である。
【図６】商品陳列棚の蓋板から前面布を取り外した状態を示す正面図である。
【図７】（Ａ）は、商品陳列棚の枠板内に配置される照明具を取り出して示す斜視図であり、（Ｂ）は、照明具の分解斜視図である。
【図８】前面布を示す背面図である。
【考案を実施するための形態】
【００１７】
本考案の実施の形態について図面を参照しながら詳細に説明する。なお、図中同一または相当部分には同一符号を付してその説明は繰り返さない。
【００１８】
＜商品陳列棚について＞
図１，図２を参照して、商品陳列棚１について説明する。図１において、矢印Ａ１で示す方向を上下方向（縦方向）といい、矢印Ａ２で示す方向を左右方向という。図１において、矢印Ａ３で示す方向を前方（前面側）といい、その逆方向を後方（背面側）という。
【００１９】
商品陳列棚１は、たとえば、スーパーマーケット、ドラッグストア等の店舗に設置され、商品を陳列して販売するためのものであり、売り場において、複数に並列または単体で配置されている。本実施の形態では、単体で配置された商品陳列棚１を例示的に説明する。
【００２０】
本実施の形態に係る商品陳列棚１は、上下方向に間隔をあけて配置された複数の棚板２を有し、各段に商品を収容することができる。具体的には、商品陳列棚１は、左右方向に離間した一対の支柱３に取り付けられる後板４を備える。複数の棚板２の後方端は、後板４に対して略垂直に取り付けられている。
【００２１】
最上段の棚板２と後板４とで囲まれる商品収容部５は、たとえば、１．８ｍ以上の高さに位置し、脚立などを用いなければ手が届かない場所である。そのため、商品収容部５は、予備の商品を保管する保管庫（ストックヤード）としての役割を果たす。
【００２２】
図１，図２に示すように、最上段の商品収容部５には、その前方を覆う開閉可能な蓋板６が設けられている。具体的には、蓋板６は、一対の支柱３から前方に向かって突出する一対の取付棒７に支持されている。一対の取付棒７は、その先端が支持部材７０により連結されている。蓋板６は、ＬＥＤを光源とする電飾板である。蓋板６は、蝶番７１により支持部材７０に取り付けられている。これにより、図１に示すように、蓋板６を閉じたり、図２に示すように、蓋板６を上方に開けたりすることができる。以下、蓋板６について詳細に説明する。
【００２３】
＜蓋板（電飾板）について＞
次に、図３〜図８を参照して、蓋板６について説明する。
【００２４】
特に図３，４を参照して、蓋板６は、枠板６０と、枠板６０の背面側に設けられる背板６１と、枠板６０の前面側に設けられる前面布６２と、前面布６２の背面側に設けられ、前面布６２を背面側から照射する照明具６３とを含む。
【００２５】
枠板６０は、たとえば、アルミニウムで形成されている。枠板６０は、細長い４本の板材からなる枠部材を矩形状に配置したものである。特に図５，図６に示すように、枠板６０は、前面側に溝部６００を有している。溝部６００は、４本の板材の長手方向に沿って延在するように設けられている。
【００２６】
枠板６０と同様に、背板６１は、たとえば、アルミニウムで形成されている。背板６１は、枠板６０の開口を覆うように、枠板６０の背面側に取り付けられている。
【００２７】
前面布６２は、透光性を有し、たとえば、布製部材で形成されている。図４，図８に示すように、前面布６２は、布本体６２０と、前面布６２の外縁に沿って四方に縫い付けられる帯状部６２１とを含む。なお、図８は、前面布６２を裏面から見た平面図である。
【００２８】
図８に示すように、前面布６２は、たとえば、正面視略矩形形状であり、角部が面取りされている。布本体６２０の前面側には、たとえば、文字、図柄、写真などが印刷されている。これにより、前面布６２は、広告宣伝機能や商品郡、エリアを示す機能などを有する。なお、図１〜図３、図８において、布本体６２０の前面側に花等の模様が印刷されていることが例示的に示されているが、これらの模様に限定されることはない。
【００２９】
帯状部６２１は、前面布６２の裏面において、前面布６２の外縁に沿って帯状に延びている。帯状部６２１は、たとえば、適度な厚みを有するシリコンゴムにより形成されている。図５に示すように、布本体６２０と帯状部６２１とを合わせた厚さＷ１は、枠板６０の溝部６００の厚さＷ２と略同一である。さらに、帯状部６２１の幅Ｄ１は、枠板６０の溝部６００の幅Ｄ２よりも略小さい。これにより、ネジなどの連結具を用いずに、前面布６２を枠板６０の溝部６００で保持することができるため、部品点数を少なくすることができるとともに、軽量にすることができる。また、前面布６２を用いることで、映り込みや反射を防止することができる。
【００３０】
図４，図６，図７に示すように、照明具６３は、枠板６０内に４個配置され、背板６１に取り付けられている。照明具６３は、たとえば、正面視正方形形状であり、ＬＥＤ光源部６３０と、底面部６３１と、側面部６３２と、中間板６３３とを備える。
【００３１】
ＬＥＤ光源部６３０は、前面布６２を背面側から照射するものである。ＬＥＤ光源部６３０は、図示を省略する基板に固定されて、外部の電源等に接続されている。ＬＥＤ光源部６３０は、一つの発電素子を有する発光ダイオードである。
【００３２】
底面部６３１は、たとえば、平面視略矩形形状の薄板である。底面部６３１の中央部には、孔部が設けられており、ＬＥＤ光源部６３０が挿通されている。ＬＥＤ光源部６３０は、底面部６３１の略中央に取り付けられているが、底面部６３１上であればどこに取り付けられていてもよい。また、底面部６３１は、その前面側に光を反射する光反射面を有する。
【００３３】
側面部６３２は、底面部６３１と一体的に形成され、底面部６３１の外周縁から略垂直に折り返されている。
【００３４】
中間板６３３は、背板６１と前面布６２との間に設けられている。中間板６３３は、たとえば、超微細発泡光反射板で形成されている。中間板６３３は、その背面側に光を反射する光反射面を有する。光反射面は、光吸収性があり、光反射率が高く、光透過性が低ければよく、たとえば、銀色または白色の塗布材が塗布されている。このように、ＬＥＤを用いた照明具６３を用いることで、従来の電飾板よりも明るくすることができる。
【００３５】
中間板６３３は、複数の円形の孔部が所定間隔で形成されている。ＬＥＤ光源部６３０と対面する中央部には、孔部が設けられていない。また、孔部の孔径は、中央部から外縁へ離れるにしたがって、徐々に大きくなっている。これにより、外方へ離れるにしたがって、光の透過率を高くすることができ、均一な面照射光を得ることができる。
【００３６】
このような構成により、ＬＥＤを光源とする電飾板を最上段の蓋板とすることができるため、従来の液晶パネルなどから形成された電飾板よりも、より明るく形成することができる。これにより、購買者に強いインパクトを与えることができ、購買者を集客しやすくなり、購買者の購買意欲をより掻き立てることができる。また、蓋板６は、商品陳列棚１の最上段に設けられるものであるが、全体として軽量な部材で構成されているため、女性等でも簡単に開閉することができる。これにより、軽量で、購買者に強いインパクトを与えることが可能な商品陳列棚１を提供することができる。
【００３７】
なお、本実施の形態において、枠板６０内に配置される照明具６３は、ＬＥＤが光源であり、ＬＥＤ光源部６３０は、１つの発電素子であるとして説明したが、複数の発電素子であってもよい。この場合、ＬＥＤ光源部６３０は、たとえば、テープ型であってもよい。また、ＬＥＤ光源部６３０は、背板６１に取り付けられるとして説明したが、必ずしも背板６１に取り付けられる必要はない。たとえば、ＬＥＤ光源部６３０は、枠板６０に取り付けられてもよく、この場合、ＬＥＤ光源部６３０は、たとえば、蛍光型、エッジライト型、導光型などであってもよい。
【００３８】
また、本実施の形態において、照明具６３は、ＬＥＤ光源部６３０と、底面部６３１と、側面部６３２と、中間板６３３とを備えるとして説明したが、少なくとも、ＬＥＤ光源部６３０を備えていればよい。その場合、ＬＥＤ光源部６３０は、背板６１に直接取り付けられていればよく、背板６１の前面側は、光を反射する光反射面を有していてもよい。
【００３９】
また、本実施の形態において、電飾板６は、商品収容部５の上部に蝶番により取り付けられるとしたが、最上段の棚板２の前面側に取り付けられて、下方に回転させることで開閉可能に設けてもよいし、その他種々の方法により取り付けられていてもよい。
【００４０】
また、本実施の形態において、商品陳列棚として提供されるとしたが、商品陳列棚の最上段の前方を覆う商品陳列棚用の蓋板として、単体で提供してもよい。
【００４１】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【符号の説明】
【００４２】
１  商品陳列棚、２  棚板、３  支柱、４  後板、５  商品収容部、６  蓋板（電飾板）、７  取付棒、６０  枠板、６１  背板、６２  前面布、６３  照明具、７０  支持部材、７１  蝶番、６００  溝部、６２０  表示部、６２１  帯状部、６３０  ＬＥＤ光源部、６３１  底面部、６３２  側面部、６３３  中間板。
【図１】
0003214962.tif 000003
【図２】
0003214962.tif 000004
【図３】
0003214962.tif 000005
【図４】
0003214962.tif 000006
【図５】
0003214962.tif 000007
【図６】
0003214962.tif 000008
【図７】
0003214962.tif 000009
【図８】
0003214962.tif 000010